(57)【要約】  手持型機器であって、本体と、本体に接続された第１の端部、及び第１の端部に対して遠位側の第２の端部を有するハンドルと、ハンドルの第２の端部においてハンドルを横切って広がる、ハンドルから取り外し可能な端壁と、ハンドル内に設けられたフィルタとを備えた手持型機器を開示する。端壁は、機器内への流体入口を含むことができる複数の開口部を含むことができる。端壁は、可撓性とすることができ、ポリプロピレン及びＡＢＳなどのプラスチック材料で作製することができる。端壁は、リムと、リムの半径方向内向きに延びるリップ部とを含むことができる。【選択図】      図１４ａ
2016531626.tif 000002
【特許請求の範囲】
【請求項１】
手持型機器であって、
本体と、
前記本体に接続された第１の端部と、該第１の端部に対して遠位側の第２の端部とを有するハンドルと、
前記ハンドルの第２の端部において前記ハンドルを横切って広がる、前記ハンドルから取り外し可能な端壁と、
前記ハンドル内に設けられたフィルタと、
を備えることを特徴とする手持型機器。
【請求項２】
前記端壁は、複数の開口部を含む、
請求項１に記載の機器。
【請求項３】
前記複数の開口部は、前記機器内への流体入口を含む、
請求項２に記載の機器。
【請求項４】
前記フィルタは、前記端壁を横切って広がる、
請求項１から３のいずれか１項に記載の機器。
【請求項５】
前記端壁は、プラスチック材料で作製される、
請求項１から４のいずれか１項に記載の機器。
【請求項６】
前記プラスチック材料は、ポリプロピレン及びＡＢＳの一方である、
請求項５に記載の機器。
【請求項７】
前記端壁は、リムと、該リムの半径方向内向きに延びるリップ部とを含む、
請求項１から６のいずれか１項に記載の機器。
【請求項８】
前記フィルタは、取り外し可能なフィルタである、
請求項１から７のいずれか１項に記載の機器。
【請求項９】
前記フィルタは、洗浄可能である、
請求項１から８のいずれか１項に記載の機器。
【請求項１０】
前記フィルタは、前記端壁を前記ハンドルから取り外した時に取り外すことができる、
請求項１から９のいずれか１項に記載の機器。
【請求項１１】
前記フィルタに対して保持されたフィルタ骨格を備える、
請求項１から１０のいずれか１項に記載の機器。
【請求項１２】
前記フィルタ骨格は、前記フィルタを越えて延び、前記フィルタを前記ハンドルから引き出すようにアクセスすることができる、
請求項１１に記載の機器。
【請求項１３】
前記ハンドルは、外部からアクセス可能な外面と、前記ハンドルの内部領域を定める内面とを有する外壁を有する、
請求項１から１２のいずれか１項に記載の機器。
【請求項１４】
前記端壁は、前記外壁を半径方向に横切って延びる、
請求項１３に記載の機器。
【請求項１５】
前記端壁は、前記外壁の外径と一致する、
請求項１４に記載の機器。
【請求項１６】
前記端壁は、前記端壁の内側リムによって定められたさらなる開口部を含む、
請求項１から１５のいずれか１項に記載の機器。
【請求項１７】
手持型機器であって、
本体と、
前記本体に接続された第１の端部と、該第１の端部に対して遠位側の第２の端部とを有するハンドルと、
前記ハンドルの前記第２の端部において前記ハンドルを横切って広がる端壁と、
を備え、前記端壁は、前記ハンドルから取り外し可能であり、前記端壁は、前記端壁の内側リムによって定められたさらなる開口部を含む、
ことを特徴とする手持型機器。
【請求項１８】
前記さらなる開口部は、前記端壁の中心に配置される、
請求項１６又は１７に記載の機器。
【請求項１９】
前記端壁は、複数の開口部を含み、該複数の開口部は、前記さらなる開口部から離間する、
請求項１６から１８のいずれか１項に記載の機器。
【請求項２０】
前記機器に電源からの電力を供給するための電力ケーブルを備え、該電力ケーブルは、前記さらなる開口部を通って延びる、
請求項１６から１９のいずれか１項に記載の機器。
【請求項２１】
前記電力ケーブルは、該電力ケーブルの周囲を半径方向に延びるハウジング内に位置する、
請求項２０に記載の機器。
【請求項２２】
前記端壁は、該端壁を前記ハンドルから取り外した時に前記電力ケーブル上に保持される、
請求項２０又は２１に記載の機器。
【請求項２３】
手持型機器であって、
本体と、
前記本体に接続された第１の端部と、該第１の端部に対して遠位側の第２の端部とを有するハンドルと、
前記ハンドルの前記第２の端部において前記ハンドルを横切って広がる、前記ハンドルから取り外し可能な端壁と、
前記機器に電源からの電力を供給する電力ケーブルと、
を備え、前記電力ケーブルは、前記端壁を貫いて延び、前記端壁は、該端壁を前記ハンドルから取り外した時に前記電力ケーブル上に保持される、
ことを特徴とする手持型機器。
【請求項２４】
前記機器内に流体を引き込むためのファンユニットを備える、
請求項１から２３のいずれか１項に記載の機器。
【請求項２５】
前記ファンユニットは、前記端壁を通じて流体を引き込む、
請求項２４に記載の機器。
【請求項２６】
前記ファンユニットは、前記ハンドル内に存在する、
請求項２４又は２５に記載の機器。
【請求項２７】
前記ハンドルの前記第２の端部は、前記ハンドルの周囲で少なくとも部分的に半径方向に広がるとともに前記第２の端部から前記ハンドルに沿って延びる複数の開口部を含む、
請求項１から２６のいずれか１項に記載の機器。
【請求項２８】
手持型機器であって、
本体と、
前記本体に接続された第１の端部と、該第１の端部に対して遠位側の第２の端部とを有するハンドルと、
前記ハンドルの前記第２の端部において前記ハンドルを横切って広がる端壁と、
を備え、前記端壁は、前記ハンドルから取り外し可能であり、前記ハンドルの前記第２の端部は、前記ハンドルの周囲で少なくとも部分的に半径方向に広がるとともに前記第２の端部から前記ハンドルに沿って延びる複数の開口部を含む、
ことを特徴とする手持型機器。
【請求項２９】
ヘアケア機器であって、
本体と、
前記本体に接続された第１の端部と、該第１の端部に対して遠位側の第２の端部とを有するハンドルと、
前記ハンドルの前記第２の端部において前記ハンドルを横切って広がる、前記ハンドルから取り外し可能な端壁と、
前記ハンドル内に設けられたフィルタと、
を備えることを特徴とするヘアケア機器。
【請求項３０】
前記端壁は、複数の開口部を含む、
請求項２９に記載の機器。
【請求項３１】
前記複数の開口部は、前記機器内への流体入口を含む、
請求項３０に記載の機器。
【請求項３２】
前記フィルタは、前記端壁を横切って広がる、
請求項２９から３１のいずれか１項に記載の機器。
【請求項３３】
前記端壁は、プラスチック材料で作製される、
請求項２９から３２のいずれか１項に記載の機器。
【請求項３４】
前記プラスチック材料は、ポリプロピレン及びＡＢＳの一方である、
請求項３３に記載の機器。
【請求項３５】
前記端壁は、リムと、該リムの半径方向内向きに延びるリップ部とを含む、
請求項２９から３４のいずれか１項に記載の機器。
【請求項３６】
前記フィルタは、取り外し可能なフィルタである、
請求項２９から３５のいずれか１項に記載の機器。
【請求項３７】
前記フィルタは、洗浄可能である、
請求項３６に記載の機器。
【請求項３８】
前記フィルタは、前記端壁を前記ハンドルから取り外した時に取り外すことができる、
請求項３６又は３７に記載の機器。
【請求項３９】
前記フィルタに対して保持されたフィルタ骨格を備える、
請求項３６から３８のいずれか１項に記載の機器。
【請求項４０】
前記フィルタ骨格は、前記フィルタを越えて延び、前記フィルタを前記ハンドルから引き出すようにアクセスすることができる、
請求項３９に記載の機器。
【請求項４１】
前記ハンドルは、外部からアクセス可能な外面と、前記ハンドルの内部領域を定める内面とを有する外壁を有する、
請求項２９から４０のいずれか１項に記載の機器。
【請求項４２】
前記端壁は、前記外壁を半径方向に横切って延びる、
請求項４１に記載の機器。
【請求項４３】
前記端壁は、前記外壁の外径と一致する、
請求項４２に記載の機器。
【請求項４４】
前記端壁は、前記端壁の内側リムによって定められたさらなる開口部を含む、
請求項２９から４３のいずれか１項に記載の機器。
【請求項４５】
ヘアケア機器であって、
本体と、
前記本体に接続された第１の端部と、該第１の端部に対して遠位側の第２の端部とを有するハンドルと、
前記ハンドルの前記第２の端部において前記ハンドルを横切って広がる端壁と、
を備え、前記端壁は、前記ハンドルから取り外し可能であり、前記端壁は、前記端壁の内側リムによって定められたさらなる開口部を含む、
ことを特徴とするヘアケア機器。
【請求項４６】
前記さらなる開口部は、前記端壁の中心に配置される、
請求項４４又は４５に記載の機器。
【請求項４７】
前記端壁は、複数の開口部を含み、該複数の開口部は、前記さらなる開口部から離間する、
請求項４４から４６のいずれか１項に記載の機器。
【請求項４８】
前記機器に電源からの電力を供給するための電力ケーブルを備え、該電力ケーブルは、前記さらなる開口部を通って延びる、
請求項４４から４７のいずれか１項に記載の機器。
【請求項４９】
前記電力ケーブルは、該電力ケーブルの周囲を半径方向に延びるハウジング内に位置する、
請求項４８に記載の機器。
【請求項５０】
前記端壁は、該端壁を前記ハンドルから取り外した時に前記電力ケーブル上に保持される、
請求項４８又は４９に記載の機器。
【請求項５１】
ヘアケア機器であって、
本体と、
前記本体に接続された第１の端部と、該第１の端部に対して遠位側の第２の端部とを有するハンドルと、
前記ハンドルの前記第２の端部において前記ハンドルを横切って広がる、前記ハンドルから取り外し可能な端壁と、
を備え、前記端壁は、該端壁を前記ハンドルから取り外した時に電力ケーブル上に保持される、
ことを特徴とするヘアケア機器。
【請求項５２】
前記機器内に流体を引き込むためのファンユニットを備える、
請求項２９から５１のいずれか１項に記載の機器。
【請求項５３】
前記ファンユニットは、前記端壁を通じて流体を引き込む、
請求項５２に記載の機器。
【請求項５４】
前記ファンユニットは、前記ハンドル内に存在する、
請求項５２又は５３に記載の機器。
【請求項５５】
前記ハンドルの前記第２の端部は、前記ハンドルの周囲で少なくとも部分的に半径方向に広がるとともに前記第２の端部から前記ハンドルに沿って延びる複数の開口部を含む、
請求項２９から５４のいずれか１項に記載の機器。
【請求項５６】
ヘアケア機器であって、
本体と、
前記本体に接続された第１の端部と、該第１の端部に対して遠位側の第２の端部とを有するハンドルと、
前記ハンドルの前記第２の端部において前記ハンドルを横切って広がる端壁と、
を備え、前記端壁は前記ハンドルから取り外し可能であり、前記ハンドルの前記第２の端部は、前記ハンドルの周囲で少なくとも部分的に半径方向に広がるとともに前記第２の端部から前記ハンドルに沿って延びる複数の開口部を含む、
ことを特徴とするヘアケア機器。
【請求項５７】
前記機器は、ヘアドライヤである、
請求項２９から５６のいずれか１項に記載の機器。
【請求項５８】
添付図面を参照しながら実質的に本明細書で説明したヘアドライヤ。
【発明の詳細な説明】
【技術分野】
【０００１】
本発明は、手持型機器に関し、特にヘアドライヤ又は高温整髪ブラシなどのヘアケア機器に関する。
【背景技術】
【０００２】
塗料又は毛髪などの物質の乾燥、及び表層の洗浄又は除去などの様々な用途には、送風機、特に温風送風機が使用される。また、髪を濡れた状態又は乾いた状態から整えるためにも、高温整髪ブラシなどの温風送風機が使用される。
【０００３】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体吸気口にフィルタが設けられる。従来、このような機器は、機器から排出される流体流の形状及び速度を変化させる、取り付け及び取り外しが可能なノズルを備える。このようなノズルは、その時のユーザの要求に応じて、機器の流出を集中させたり、又は流出を拡散させたりするために使用することができる。
【発明の概要】
【課題を解決するための手段】
【０００４】
第１の態様によれば、本発明は、手持型機器であって、本体と、本体に接続された第１の端部、及び第１の端部に対して遠位側の第２の端部を有するハンドルと、ハンドルの第２の端部においてハンドルを横切って広がる、ハンドルから取り外し可能な端壁とを含む手持型機器を提供する。
【０００５】
ハンドル内には、フィルタが設けられることが好ましい。
【０００６】
機器は、第２の端部において外壁を横切って広がる端壁を含む。端壁は、複数の開口部を含むことが好ましく、複数の開口部は、端壁を貫いて延びることが好ましい。端壁を貫いて延びる開口部は、機器内への流体入口の一部を形成することが好ましい。
【０００７】
複数の開口部は、機器内への流体入口を含むことが好ましい。好ましい実施形態では、端壁が可撓性である。端壁は、プラスチック材料で作製されることが好ましい。プラスチック材料は、ポリプロピレン又はアクリロニトリルブタジエンスチレン（ＡＢＳ）の一方であることが好ましい。
【０００８】
端壁は、リムと、リムの半径方向内向きに延びるリップ部とを含むことが好ましい。リップ部は、リムからの延長部によってリムから離間することが好ましい。一対のリップ部を設けることが好ましい。機器は、（単複の）リップ部を収容する凹部を含むことが好ましい。凹部は、ハンドルの内面に形成されることが好ましい。一対の凹部を設けることが好ましい。
【０００９】
ハンドルは、取り外し可能なフィルタをさらに含むことが好ましい。取り外し可能なフィルタは、洗浄可能であることが好ましい。フィルタは、端壁をハンドルから取り外した時に取り外せることが好ましい。
【００１０】
好ましい実施形態では、機器が、フィルタに対して保持されたフィルタ骨格を含む。フィルタ骨格は、フィルタを越えて延び、フィルタをハンドルから引き出すようにアクセスできることが好ましい。
【００１１】
ハンドルは、外部からアクセス可能な外面と、ハンドルの内部領域を定める内面とを有する外壁を有することが好ましい。端壁は、外壁を半径方向に横切って延びることが好ましい。端壁は、外壁の外径と一致することが好ましい。或いは、端壁は、外壁よりも大きな直径を有する。端壁は、少なくとも部分的に端壁の外周の周囲に外向きに広がる外側リップ部を含むことが好ましい。
【００１２】
端壁は、端壁の内側リムによって定められたさらなる開口部を含むことが好ましい。
【００１３】
別の態様によれば、本発明は、手持型機器であって、本体と、本体に接続された第１の端部、及び第１の端部に対して遠位側の第２の端部を有するハンドルと、ハンドルの第２の端部においてハンドルを横切って広がる端壁とを備え、端壁は、ハンドルから取り外し可能であり、端壁は、端壁の内側リムによって定められたさらなる開口部を含む手持型機器を提供する。
【００１４】
さらなる開口部は、端壁の中心に配置されることが好ましい。
【００１５】
好ましい実施形態では、機器が、機器に電源からの電力を供給するための電力ケーブルを含み、電力ケーブルは、さらなる開口部を通って延びる。電力ケーブルは、電力ケーブルの周囲を半径方向に延びるハウジング内に位置することが好ましい。
【００１６】
機器は、電力ケーブルを含み、電力ケーブルは、端壁を通って機器に入り込むことが好ましい。フィルタは、電力ケーブルを収容するための穴又はさらなる開口部を含むことが好ましい。端壁の複数の開口部は、穴又はさらなる開口部から離間することが好ましい。フィルタは、電力ケーブルに当接することが好ましい。
【００１７】
ハウジングは、ハウジングの周囲に半径方向に広がる凹部を含むことが好ましい。さらなる開口部は、内側リムの半径方向内向きに延びるリップ部を含み、リップ部は、凹部と協働するように適合されることが好ましい。
【００１８】
端壁は、端壁をハンドルから取り外した時に電力ケーブル上に保持されることが好ましい。
【００１９】
本発明は、手持型機器であって、本体と、本体に接続された第１の端部、及び第１の端部に対して遠位側の第２の端部を有するハンドルと、ハンドルの第２の端部においてハンドルを横切って広がる、ハンドルから取り外し可能な端壁と、機器に電源からの電力を供給する電力ケーブルとを備え、電力ケーブルは、端壁を貫いて延び、端壁は、端壁をハンドルから取り外した時に電力ケーブル上に保持される手持型機器も提供する。
【００２０】
好ましい実施形態では、機器が、機器内に流体を引き込むためのファンユニットを含む。ファンユニットは、端壁を通じて流体を引き込むことが好ましい。ファンユニットは、ハンドル内に存在することが好ましい。
【００２１】
ハンドルの第２の端部は、ハンドルの周囲で少なくとも部分的に半径方向に広がるとともに第２の端部からハンドルに沿って延びる複数の開口部を含むことが好ましい。
【００２２】
本発明は、手持型機器であって、本体と、本体に接続された第１の端部、及び第１の端部に対して遠位側の第２の端部を有するハンドルと、ハンドルの第２の端部においてハンドルを横切って広がる端壁とを備え、端壁は、ハンドルから取り外し可能であり、ハンドルの第２の端部は、ハンドルの周囲で少なくとも部分的に半径方向に広がるとともに第２の端部からハンドルに沿って延びる複数の開口部を含む手持型機器を提供する。
【００２３】
ハンドルは、内壁と、内壁に沿ってその周囲に延びる外壁とを有し、内壁は、少なくとも部分的に内壁に沿って延びる複数の穿孔部を含むことが好ましい。
【００２４】
内壁は、少なくとも部分的に内壁の周囲に延びる複数の穿孔部を含むことが好ましい。
【００２５】
好ましい実施形態では、外壁が、少なくとも部分的に外壁の周囲に延びる複数の穿孔部を含む。外壁は、少なくとも部分的に外壁に沿って延びる複数の穿孔部を含むことが好ましい。
【００２６】
好ましい実施形態では、外壁の穿孔部が、内壁の穿孔部から離間する。従って、外壁の穿孔部と内壁の穿孔部とは重なり合わない。
【００２７】
ハンドルは、第１及び第２の端部を含むことが好ましい。
【００２８】
好ましい実施形態では、内壁が、第１の端部と第２の端部とを有し、内壁は、ハンドルの第１の端部からハンドルの第２の端部に向かって延びる。
【００２９】
ハンドルの外壁は、ハンドルの第１の端部からハンドルの第２の端部に向かって延びることが好ましい。好ましい実施形態では、外壁が、ハンドルの第２の端部に向かって延びる。
【００３０】
外壁の穿孔部は、ハンドルの第２の端部に隣接することが好ましい。好ましい実施形態では、外壁の穿孔部が、ハンドルに沿って第１の端部に向かって延びる。
【００３１】
外壁の穿孔部は、内壁の穿孔部から長手方向に離間することが好ましい。
【００３２】
好ましい実施形態では、機器が、外壁内の穿孔部を横切ってその周囲に延びる、外壁内に配置されたフィルタを含む。
【００３３】
フィルタは、ハンドルの第２の端部から延びることが好ましい。フィルタは、第２の端部から第１の端部に向かって延びることが好ましい。好ましい実施形態では、フィルタが、ハンドルの第２の端部から延びて内壁の第２の端部に当接する。
【００３４】
内壁の第２の端部は、湾曲することが好ましい。
【００３５】
好ましい実施形態では、内壁が、内壁と外壁の間に突出する少なくとも１つの支持リブを含む。少なくとも１つの支持リブは、内壁の周囲で湾曲することが好ましい。これとは別に、又はこれに加えて、少なくとも１つの支持リブは、内壁に沿って長手方向に延びる。
【００３６】
ハンドルの外壁と内壁の間には、ライニング材が設けられることが好ましい。
【００３７】
好ましい実施形態では、外壁の穿孔部が、ハンドル内への流体入口を含む。
【００３８】
機器は、流体入口からハンドルに沿って延びる流体流路を含み、流体流路は、少なくとも部分的に内壁によって定められることが好ましい。
【００３９】
好ましい実施形態では、ハンドルがファンユニットを含む。内壁は、ファンユニットをハンドル内に収容するためのハウジングを含むことが好ましい。好ましい実施形態では、ハウジングが、ハンドルの第１の端部とハンドルの第２の端部との間に存在する。
【００４０】
ハンドルの第１の端部は、ハンドルの上流端であることが好ましい。好ましい実施形態では、ハンドルの第２の端部が、ハンドルの下流端である。
【００４１】
ハンドルの第２の端部は、流体入口を含むことが好ましい。
【００４２】
好ましい実施形態では、内壁が、第２の端部とファンユニットのためのハウジングとの間に複数の穿孔部を含む。
【００４３】
内壁は、ファンユニットのためのハウジングとハンドルの第１の端部との間に穿孔部を有さないことが好ましい。
【００４４】
好ましい実施形態では、内壁が、第１のパーツ及び第２のパーツから形成される。第１のパーツ及び第２のパーツは、連続内壁を形成するように互いに接合されることが好ましい。
【００４５】
好ましい実施形態では、第１のパーツが、内壁の第１の端部から内壁の第２の端部に延びる。
【００４６】
第２のパーツは、内壁の第１の端部から内壁の第２の端部に延びることが好ましい。
【００４７】
好ましい実施形態では、内壁の第１のパーツ及び第２のパーツが、接続支柱によって互いに接続される。接続支柱は、内壁のための補強リブであることが好ましい。
【００４８】
好ましい実施形態では、内壁が、ハンドルの第２の端部に隣接する、複数の穿孔部を含む第１の部分と、穿孔部を有さず、ファンユニットのためのハウジングを含む第２の部分と、第２の部分から、穿孔部を有さない内壁の第１の端部に向かって延びる第３の部分とを含む。
【００４９】
別の態様によれば、本発明は、手持型機器であって、入口と、出口と、入口から出口に流れる流体流路と、フィルタとを備え、入口は、複数の開口部を含み、フィルタは、複数の開口部の各々の周囲に延びる手持型機器を提供する。
【００５０】
フィルタが複数の開口部の各々の周囲に延びているので、複数の開口部を通って流れるあらゆる流体は、フィルタを通って流れる。
【００５１】
機器は、外壁を備え、入口は外壁に存在することが好ましい。開口部は、少なくとも部分的に外壁に沿って延びることが好ましい。
【００５２】
外壁は、管状であることが好ましい。開口部は、少なくとも部分的に外壁の周囲に延びることが好ましい。
【００５３】
フィルタは、発泡体ブロックであることが好ましい。フィルタは、円筒形であることが好ましい。
【００５４】
入口は、第２の端部から第１の端部に向かって延びることが好ましい。
【００５５】
フィルタは、第２の端部から入口よりも遠くに延びることが好ましい。
【００５６】
フィルタは、端壁を貫く複数の開口部の周囲に延びることが好ましい。フィルタは、端壁を横切って延びることが好ましい。
【００５７】
第７の態様によれば、本発明は、ヘアケア機器であって、入口と、出口と、入口から出口に流れる流体流路と、フィルタとを備え、入口は、複数の開口部を含み、フィルタは、複数の開口部の各々の周囲に延びるヘアケア機器を提供する。
【００５８】
第８の態様によれば、本発明は、ヘアケア機器であって、本体と、本体に接続された第１の端部、及び第１の端部に対して遠位側の第２の端部を有するハンドルと、ハンドルの第２の端部においてハンドルを横切って広がる、ハンドルから取り外し可能な端壁とを備えたヘアケア機器を提供する。
【００５９】
また、ヘアケア機器であって、本体と、本体に接続された第１の端部、及び第１の端部に対して遠位側の第２の端部を有するハンドルと、ハンドルの第２の端部においてハンドルを横切って広がる端壁とを備え、端壁は、ハンドルから取り外し可能であり、端壁は、端壁の内側リムによって定められたさらなる開口部を含むヘアケア機器も提供する。
【００６０】
また、ヘアケア機器であって、本体と、本体に接続された第１の端部、及び第１の端部に対して遠位側の第２の端部を有するハンドルと、ハンドルの第２の端部においてハンドルを横切って広がる、ハンドルから取り外し可能な端壁とを備え、端壁は、端壁をハンドルから取り外した時に電力ケーブル上に保持されるヘアケア機器も提供する。
【００６１】
また、ヘアケア機器であって、本体と、本体に接続された第１の端部、及び第１の端部に対して遠位側の第２の端部を有するハンドルと、ハンドルの第２の端部においてハンドルを横切って広がる端壁とを備え、端壁はハンドルから取り外し可能であり、ハンドルの第２の端部は、ハンドルの周囲で少なくとも部分的に半径方向に広がるとともに第２の端部からハンドルに沿って延びる複数の開口部を含むヘアケア機器も提供する。
【００６２】
ヘアケア機器は、ヘアドライヤであることが好ましい。
【００６３】
以下、添付図面を参照しながら本発明を一例として説明する。
【図面の簡単な説明】
【００６４】
【図１】本発明による機器の斜視図である。
【図２】図１の機器の断面図である。
【図３ａ】入口を分解した機器のビューである。
【図３ｂ】入口を分解した機器の別のビューである。
【図３ｃ】入口を分解した機器のさらに別のビューである。
【図４】本発明による機器の分解斜視図である。
【図５】異なるハンドル部品の分解側面図である。
【図６】内側ハンドルの斜視図である。
【図７】組み立てた内側ハンドルを示す図である。
【図８】入口の斜視図である。
【図９】図８の入口の取り外し可能部分を取り外した図である。
【図１０】フィルタブロック及び取り外し可能部分の平面図である。
【図１１】別の内壁の等角図である。
【図１２】図１１の内壁を組み立てた図である。
【図１３ａ】別の機器の等角図である。
【図１３ｂ】図１３ａの機器の取り外し可能部分を省いた図である。
【図１４ａ】図１３ａの別の機器の入口を分解した図である。
【図１４ｂ】図１４ａの取り外し可能部分をさらに詳細に示す図である。
【図１４ｃ】図１４ａのフィルタ骨格をさらに詳細に示す図である。
【図１５】図１３ａの別の機器の入口の断面図である。
【図１６ａ】図１５の断面をさらに詳細に示す図である。
【図１６ｂ】図１５の断面をさらに詳細に示す図である。
【発明を実施するための形態】
【００６５】
図１及び図２に、ハンドル２０及び本体３０を備えたヘアドライヤ１０を示す。ハンドルは、本体３０に接続された第１の端部２２と、本体３０から遠位側に存在する、一次流体入口４０を含む第２の端部２４とを有する。ヘアドライヤ１０には、ケーブル５０を介して電力が供給される。
【００６６】
本体３０は、第１の端部３２及び第２の端部３４を有し、２つの部分を有していると見なすことができる。第１の端部３２からは、概ね管状の第１のパーツ３６が延び、第２の端部３４からは、第２のパーツ３８が延びて第１のパーツ３６に交わる。第２のパーツ３８は円錐形であり、その長さに沿って本体３０の第１のパーツ３６の直径から本体の第２の端部３４のより小さな直径へと直径が変化する。この例では、第２のパーツ３８が一定の傾斜を有し、本体３０の第１のパーツ３６の外壁３６０から定められる角度αは約４０°である。
【００６７】
ハンドル２０は、本体３０からハンドルの遠位端２４に延びる外壁２００を有する。ハンドルの遠位端２４では、外壁２００を横切って端壁２１０が広がる。ケーブル５０は、この端壁２１０を通じてヘアドライヤに入り込む。ハンドル２０の一次流体入口４０は、ハンドルの外壁２００に沿ってその周囲に広がる第１の開口部４２と、ハンドル２０の端壁２１０を貫いてその全体に広がる第２の開口部４６とを有する。ケーブル５０は、端壁２１０のほぼ中央に位置し、従ってハンドル２０の中心から延びる。端壁２１０は、ハンドルの外壁２００及び内壁２２０に直交する。
【００６８】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きとともに変化し、ユーザの気が散ってしまう。
【００６９】
一次流体入口４０の上流には、ファンユニット７０が設けられる。ファンユニット７０は、ファン及びモータを含む。ファンユニット７０は、一次流体入口４０から本体３０内に延びる一次流体流路４００を通じて、一次流体入口４０から本体３０に向けて流体を吸い込み、ハンドル２０と本体３０は９０において接合される。一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００７０】
本体３０は、外壁３６０及び内側ダクト３１０を含む。一次流体流路４００は、ハンドル２０と本体３０の接合部９０から本体に沿って、外壁３６０とダクト３１０の間を本体３０の第２の端部３４における一次流体出口４４０に向かって延びる。
【００７１】
本体内には別の流体流路も設けられ、この流れはファンユニット又はヒータによって直接処理されず、ヘアドライヤ内の一次流を生成するファンユニットの作用によってヘアドライヤに吸い込まれる。この流体流は、一次流体流路４００内を流れる流体によってヘアドライヤ内に取り込まれる。
【００７２】
本体の第１の端部３２は、流体入口３２０を含み、本体の第２の端部３４は、流体出口３４０を含む。流体入口３２０及び流体出口３４０は、本体内を本体に沿って延びる、本体３０の内壁であるダクト３１０によって少なくとも部分的に定められる。流体流路３００は、ダクト内を流体入口３２０から流体出口３４０に延びる。本体３０の第１の端部３２では、外壁３６０とダクト３１０との間に側壁３５０が広がる。この側壁３５０は、少なくとも部分的に流体入口３２０を定める。本体の第２の端部３４では、外壁３６０とダクトの間に間隙が設けられ、この間隙が一次流体出口４４０を定める。一次流体出口４４０は環状であり、流体流路を取り囲む。一次流体出口４４０は、一次流体流路４００が本体３０内で流体流路３００に合流できるように内側に存在することができる。或いは、一次流体出口４４０は外側に存在し、流体出口３４０において流体流路３００からの流体とは別に本体３０から排出される。
【００７３】
本体の外壁３６０は、ダクト３１０、及び本体３０の中心線Ａ−Ａに向かって収束する。ダクト３１０に向かって収束する外壁３６０には、一次流体出口４４０から排出される一次流が本体３０の中心線Ａ−Ａに向かって導かれるという利点がある。一次流体出口４４０から排出される流体は、この一次出口４４０からの流体の動きに起因して、ヘアドライヤの外側からの流体の何らかの外部同伴４９０を引き起こす。この効果は、ダクト３１０に向かって収束する外壁３６０によって高められる。この理由は、１つには、一次流が発散性でなく集中性であるためであり、１つには、本体３０の外壁３６０がヘアドライヤの第２の端部３４に向かって傾斜しているためである。
【００７４】
ダクト３１０は、ヘアドライヤの外側からアクセスできるヘアドライヤの内壁である。従って、ダクト３１０は、ヘアドライヤの外周壁である。ダクト３１０は、本体３０内の奥まった所に存在し、従って外壁３６０とダクト３１０を接続する側壁３５０は、外壁３６０に対して角度を成す。
【００７５】
本体３０内の側壁３５０及び流体入口３２０の近くには、ヘアドライヤの制御電子回路を含むＰＣＢ７５が存在する。ＰＣＢ７５はリング状であり、ダクト３１０と外壁３６０の間においてダクト３１０の周囲に延びる。ＰＣＢ７５は、一次流体流路４００と流体連通する。ＰＣＢ７５は、流体流路３００の周囲に延び、ダクト３１０によって流体流路３００から分離される。
【００７６】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【００７７】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に取り込まれるようになる。この流体は、本体の第２の端部３４において処理流と合流する。図２に示す例では、この処理流が、流体出口３４０を通じてヘアドライヤから排出される取り込まれた流れを取り囲む環状流として一次流体出口４４０及びヘアドライヤから排出される。従って、ファンユニット及びヒータによって処理された流体は、取り込まれた流れによって増大する。
【００７８】
図３ａ、図３ｂ及び図３ｃは、ヘアドライヤ１０の一次流体入口４０をさらに詳細に示す分解斜視図である。機器１０は、本体３０及びハンドル２０を含む。ハンドル２０は管状であり、ハンドル２０の外壁２００は、アルミニウム、アルミニウム合金又は鋼などの圧延金属板で作製された円筒形スリーブである。ハンドルは、第１の端部２２が本体３０に接続され、遠位側の第２の端部２４には一次流体入口４０が設けられる。一次流体入口４０は、一次流体流路４００に入り込む流体を濾過する第１の手段である。
【００７９】
使用時にハンドル２０の第２の端部２４に挿入される発泡体ブロック４８が設けられる。発泡体ブロック４８は、一次流体入口４０を通って一次流体流路４００に入り込む流体を濾過する第２の手段である。発泡体ブロック４８は、一次流体入口４０を越えてさらにハンドルの第１の端部２２に向かって延び、これによって一次流体入口４０に入り込んだ流体が発泡体ブロック４８を通過し、従って二段階濾過を受けることを確実にすることが有利である。
【００８０】
図示の発泡体ブロック４８は円筒形であり、一次流体入口４０におけるハンドル２０内の領域を実質的に満たす。これにより、ハンドルの周囲にハンドルに沿って広がる第１の開口部４２を通じて一次流体入口に入り込む全ての流体、及びハンドル２０の端壁２１０を横切って端壁２１０を貫いて広がる第２の開口部４６を通じて入り込む流体が、この第２の濾過段階を確実に通過するようになる。発泡体ブロック４８は、ハンドル２０の第２の端部２４から、一次流体入口４０の第１の開口部４２よりも遠くまで長手方向に延びる。
【００８１】
一次流体入口４０が、単にハンドル２０の外壁に沿ってその周囲に延びているだけの場合、発泡体ブロック４８は、リング状に形成されハンドル２０の外壁２００の内面に接して位置する矩形ブロックを含むことができる。端壁２１０を通じてハンドル２０に入り込む流体が存在しなくなるので、ハンドル２０の端壁２１０を覆う必要性がなくなる。
【００８２】
図４は、本発明による機器の分解斜視図であり、図５は、異なるハンドル部品の分解側面図であり、図６は、内側ハンドルの斜視図であり、図７には、組み立てた内側ハンドルを示す。
【００８３】
ハンドル２０は、外壁２００と、ハンドル２０を貫く一次流体流路４００を少なくとも部分的に定める内壁２２０とを有する。内壁２２０は、本体３０からハンドル２０の第２の端部２４に向かって下流端２２０ａに延びるが、一次流体入口４０の一部を形成する第１の開口部４２ほど遠くまでは延びない。内壁２２０は、下流端２２０ａにおいて発泡体ブロック４８に当接する。内壁２２０は、一次流体入口４０の第１の開口部４２から離間する。
【００８４】
内壁２２０は、一次流体流路４００の断面積の変化の周囲に流体流を導くように成形される。例えば、内壁２２０の下流端２２０ａでは、内壁が一次流体流路４００に沿って外壁２００から半径方向内向きに湾曲する。この湾曲部分２２８は、フィルタブロック４８から排出された流体を、内壁２２０と外壁２００との間に位置するライニング材２２２を収容するように外壁２００の直径に対して直径が小さくなった内壁２２０内に導く。ライニング材２２２は、ファンユニット７０によってハンドル２０内に流体が引き込まれる際に発生するノイズを少なくとも軽減する（消音効果を有する）発泡体又はフェルトである。明確にするために、ライニング材２２２は、内壁２２０の一部の周囲にしか示していない。実際には、ライニング材２２２は、補強リブ２２６によって定められる内壁２２０の各八分円を実質的に満たす。内壁２２０は、ライニング材２２２と一次流体流路４００内を流れる流体とを接触させ、従ってノイズの軽減を可能にするために、内壁２２０の長さに少なくとも部分的に沿ってその周囲に広がる穿孔部２２４を含む。内壁２２０は、一次流体入口４０の第１の開口部４２上に延びていないので、内壁２２０内の穿孔部２２４は、一次流体入口４０の第１の開口部４２から長手方向に離間する。
【００８５】
本体３０の外壁３６０と、ハンドル２０の内壁２２０の第１のパーツ２２０ｃは、単一片として成形される。内壁２２０の第２のパーツ２２０ｂは、第１のパーツ２２０ｃと共に、外壁２００の内側の周囲に延びる連続的な内壁２２０を形成する。内壁２２０は、本体からハンドルの一次流体入口４０に向かって延びる。この例では、内壁２２０が、ハンドル２０の外壁２００の一次流体入口４０と重なり合っていない。内壁２２０の端部２２０ａとハンドル２０の端壁２１０との間には、発泡体ブロック４８が存在する。
【００８６】
外壁２００に沿ってその周囲に広がる第１の開口部４２は、外壁２００を形成する金属板から機械加工され、打ち抜かれ、又はレーザ切断される。外壁２００を内壁２２０上に摺動させて完成品を形成する。
【００８７】
特に図８、図９及び図１０を参照して分かるように、一次流体入口４０は、毛髪及び非液体ヘアケア製品（例えば、ムース及びワックス）が一次流体流路４００に入り込むのを防ぐように意図されている。毛髪、繊維及び埃を取り除いて一次流体入口４０の開口部４２の閉塞を解除するには、一次流体入口４０の外面を拭えばよい。発泡体ブロック４８は、網状の発泡体ブロックであることが好ましく、毛髪の進入及び浮遊微小粒子が一次流体流路４００に入り込むのを防ぐように意図されている。この発泡体ブロック４８は、常に清掃又は交換のためにアクセスできるわけではないので、一次流体入口４０は、取り外し可能部分４４を有し、ユーザは、取り外し可能部分４４を取り外すと、清掃又は交換のために外壁２００の内側から発泡体ブロック４８を取り出せるようになる。
【００８８】
取り外し可能部分４４は、ハンドル２０の端壁２１０を含むとともに、ハンドルの外壁２００の端部２００ａを覆って外壁２００の少なくとも半径を横切って延びるリップ部４４０を含む外部リム４３０を有する。取り外し可能部分４４は、ハンドル２０内への一次流体入口４０の一部を形成する第２の開口部４６も含む。
【００８９】
この例では、リップ部４４０が、ハンドル２０の外壁２００を越えて延び、ユーザがリップ部４４０において端壁４４を把持してハンドルの端部２００ａから剥がせるようにしている。取り外し可能部分４４は、ハンドル２０の遠位端２４に対して着脱操作ができるように、プラスチック又はゴムなどの可撓性材料で作製される。
【００９０】
取り外し可能部分４４は、ハンドルの第２の端部２４に取り付けられた時に外壁２００の内側に延びる内側部分４０２も含み、これによって一次流体入口４０の２つの部分４２、４４間における良好なシールの形成が確実になる。
【００９１】
取り外し可能部分４４は、ハンドル２０内に延びる電力ケーブル５０が通過するさらなる開口部４０６を含む。さらなる開口部４０６は、取り外し可能部分４４の中心に存在する。電力ケーブル５０は、ハンドル２０に固定され、従って一次流体入口４０の取り外し可能部分４４は、ハンドルの端部２４から取り外された際に電力ケーブル５０上に残ったままになる。これにより、洗浄又は交換のために発泡体ブロック４８を取り外している時に、取り外し可能部分４４をうっかり置き忘れることがなくなる。取り外し可能部分４４をハンドルの端部２４に戻すには、取り外し可能部分４４を電力ケーブル５０に沿って単純に引っ張り、その後にハンドルの端部２４上に押し込めばよい。
【００９２】
発泡体ブロック４８は、電力ケーブル５０を収納するための中心開口部４８ａ（図３及び図１０）を有する円筒形である。フィルタブロック４８を電力ケーブル５０から除去するために、発泡体ブロック４８の厚みを通じてスリット１４８が設けられる。発泡体ブロック４８は、電力ケーブル５０の周囲から発泡体ブロック４８を取り外すようにスリット１４８において引き離せるほど十分な可撓性を有する。
【００９３】
取り外し可能部分４４に形成された第２の開口部４６を通じて一次流体入口４０に入り込んだ全ての流体を発泡体ブロック４８に通すことによって確実に濾過するために、第２の開口部４６は、取り外し可能部分４４に設けられたさらなる開口部４０６から離間する。発泡体ブロック４８の中心開口部４８ａの直径は、取り外し可能部分４４のさらなる開口部４０６の直径に、第２の開口部４６の最も内側の行４６ａと取り外し可能部分４４のさらなる開口部４０６との間の距離の２倍を加えたものよりも小さい。これにより、発泡体ブロック４８は、全ての第２の開口部４６と確実に重なり合うようになる。
【００９４】
取り外し可能部分４４は可撓性であるため、電力ケーブル５０の外縁の周囲を密封して、流体が一次流体入口４０を通過せずに流体流路に入り込むのを防ぐ。
【００９５】
特に図４〜図７を参照して分かるように、内壁２２０は、複数の異なる機能を有する。１つの機能は、ハンドル２０内に配置されたライニング材２２２の範囲を定めることである。内壁２２０は、外壁２００に対してライニング材２２２を押し潰し、一次流体流路４００がライニング材２２２によって制約されないことを確実にする。明確にするために、ライニング材２２２は、内壁２２０の一部に沿ってその周囲にしか示していないが、実際には、ハンドル２０の外壁２００と内壁２２０の間で実質的に連続する。ライニング材２２２は、発泡体又はフェルトであり、ハンドル２０に音響障壁及び熱障壁をもたらす。
【００９６】
内壁２２０の別の機能は、内部にファンユニット７０が配置されるハウジング２３０を提供することである。ハウジング２３０は円筒形であり、ハウジング２３０の各端部には内向きに突出する桟部２３２、２３４が１つずつ配置されて、ハンドル２０内におけるファンユニット７０の位置を維持する。ファンユニット７０は、一次流体入口４０内に流体を引き込み、一次流体流路４００に沿って本体３０に至らせる。この過程でノイズ及び振動が発生し、これらはライニング材によって部分的に軽減されるが、内壁２２０の形状、並びに内壁２２０に沿ってその周囲に設けられた穿孔部２２４によっても軽減される。
【００９７】
内壁２２０は、内壁２２０の外径の周囲で螺旋状になった補強リブ２２６を有する。補強リブ２２６は、ヘアドライヤ１０を落下又は強打した場合にハンドル２０のための構造的支持を提供する。この実施形態では、ライニング材２２２が、補強リブ２２６間に収まる小片に切断されているが、ライニング材を連続片として設けることもできる。これらの両選択肢には、組み立て、ノイズ及び振動の減衰、並びに補強リブ２２６の有効性の点で長所も短所もある。
【００９８】
さらに、接続支柱２３６の形の長手方向補強リブも設けられる。この接続支柱は、内壁２２０の第１のパーツ２２０ｃと第２のパーツ２２０ｂの協働する縁部に沿って長手方向に延びる。この接続支柱は、内壁２２０を補強することと、内壁の第１のパーツ２２０ｃと第２のパーツ２２０ｂを確実に接続することという２つの機能を有する。
【００９９】
補強リブの使用は、同じ強度のハンドルについて内壁２２０を薄くすることができ、これによって製品の重量が減少することを意味する。また、各穿孔部２２４も、他の利点をもたらすことに加えて内壁２２０の重量を減少させる。
【０１００】
内壁２２０は、本体３０の外壁３６０から延びる、本体３０の外壁３６０と一体的に成形される第１のパーツ２２０ｃと、別個に成形される第２のパーツ２２０ｂという２つの部分から形成される。これにより、一体部品の内壁よりも、ハンドル２０内におけるファンユニット７０の取り付けが容易になる。
【０１０１】
図１１及び図１２に、内壁２５０の別の構成を示す。内壁２５０は、本体３０と一体的に成形される第１のパーツ２５０ａと、第１のパーツ２５０ａに接合して完全な内壁２５０を形成する第２のパーツ２５０ｂという２つの部分で形成される。
【０１０２】
内壁２５０は、本体３０に接続された第１の端部２５２から、本体３０から遠位側の第２の端部２５４に延びる。第２の端部２５４及びファンユニットハウジング２３０に向かって延びる途中の部分には、内壁２５０の周囲に複数の穿孔部２５６が形成され、この部分が内壁の第１の部分２６０を形成する。内壁の第２の部分２６２は、ファンユニット７０のためのハウジング２３０を含む。大型の開口部２５８が、接続支柱２６６によって２つに分割される。接続支柱２６６は、２つの主な機能を有し、第１の機能は、内壁２５０の第１のパーツ２５０ａと第２のパーツ２５０ｂの間の接続点を提供することである。内壁の第３の部分２６４は、ファンハウジング２３０の上端から内壁の第１の端部２５２に延びる。この内壁２５０の第３の部分２６４には、開口部又は穿孔部は存在しない。
【０１０３】
内側ハンドル２５０の第１の部分２６０に沿って、ライニング材２７０が設けられる。明確にするために、ライニング材２７０は、内壁の第１のパーツ２５０ａ上にしか示していないが、使用時には、内壁２５０の第１の部分２６０の周囲全体に広がるようになる。このライニング材２７０は、内壁の第１のパーツ２５０ａ及び第２のパーツ２５０ｂに対してそれぞれ１つずつの２つの断片として設けられる。
【０１０４】
ライニング材２７０は、ファンユニット７０の作用によって流体が一次流体入口４０に引き込まれる際に発生するノイズを低減するために設けられる。ライニング材２７０は、一次流体流路４００を流れる流体に直接曝された時に最も効果が高い。しかしながら、流体の流れが発泡体ブロック４８によって濾過された後に内壁２５０内に向かっている位置では、ライニング材２７０を流れ誘導面の背後に配置することが有益である。内壁２５０の第２の端部２５４は、流体がフィルタブロック４８から一次流体流路４００に移動する際に滑らかな流体流路を形成するように湾曲して成形される（２５８）。
【０１０５】
内壁２２０の穿孔部２５６は、ノイズを最も効果的に減衰するように選択された直径を有する。１ｍｍ〜１０ｍｍの直径が適しており、小さな直径は、（人間の主な音域を上回る音を低減する）良好な音響パワーを得るのに有利であり、大きな直径は、高周波の減衰に有利である。穿孔部は、内壁２２０、２５０の表面積の少なくとも４０％を形成することが好ましい。
【０１０６】
ライニング材２２２を内壁２２０、２５０の背後に配置することにより、ライニング材２２２を一次流体流路に露出するように導く場合よりも厚みの大きなライニング材を使用することができる。この理由は、ハンドル２０の内壁２２０、２５０と外壁２００との間の間隙内にライニング材２２２を押し潰す内壁２２０、２５０によって一次流体流路４００の直径が決まるからである。
【０１０７】
図１３ａ〜図１６には、別の取り外し可能部分２４４の様々なビューを示す。この取り外し可能部分２４４は剛性プラスチック材料で作製され、外壁の端部２２０ａ上に押し込まれる。取り外し可能部分２４４は、ハンドル２０内への一次流体入口４０の一部を形成する第２の開口部４６を含む端面２４６を有する。取り外し可能部分２４４は、指グリップ３０２を含む外側リム３００を有する概ね「Ｕ」字形である。基本的に、指グリップ３０２は、例えば指の爪又はコインを引っ掛けられるようにリム３００内の途中まで延びる凹部であり、取り外し可能部分２４４をハンドル２０の端部２００ａからてこの作用で外すために使用することができる。
【０１０８】
指グリップ３０２は、半径方向に向かい合って２つ設けることができる（図１４ｂ、図１６）。これにより、ハンドル２０及び電力ケーブル５０によって定められる長手軸に沿って取り外し可能部分２４４を引っ張ることができるので、取り外しが容易になる。
【０１０９】
この取り外し可能部分２４４は、外側リム３００においてハンドル２０の端部２２０ａに当接し、ハンドルの２０の端部において１対の弾性クリップ３０８を介して適所に固定される。各弾性クリップ３０８は、取り外し可能部分２４４の内側リム３０４から上向きに延びる延長部２０８ａを含む「Ｌ」字形である。内側リム３０４は、取り外し可能部分の中心開口部３０６を定め、ここを通じて電力ケーブル５０がハンドル２０に入り込む。弾性クリップ３０８は、内側リム３０４から上方に離れた延長部２０８ａの遠位端に、取り外し可能部分２４４の中心開口部３０６によって定められる空間内に内側リム３０４から半径方向内向きに延びるリップ部３０８ｂを有する。
【０１１０】
電力ケーブル５０は、ハンドル２０内の、電力ケーブル５０の周囲に広がるハウジング５２に収容される。このハウジングは、弾性クリップ３０８を保持するように適合された円形凹部５４を含む。取り外し可能部分２４４をハンドル２０の端部２００ａに挿入する場合、取り外し可能部分２４４は、その取り付け位置に来るまで弾性クリップ３０８のリップ部３０８ｂがハウジング５２によって半径方向外向きに押され、取り付け位置に来たらリップ部３０８ｂが円形凹部５４内に進入して取り外し可能部分２４４を所定位置に保持する。
【０１１１】
取り外し可能部分２４４を取り外すには、弾性クリップ３０８のリップ部３０８ｂを円形凹部５４から飛び出るように撓ませるほどの力で（単複の）指グリップ３０２を引っ張るだけでよい。
【０１１２】
ハウジング５２内の凹部は円形である必要はなく、１対のリップ部３０８ｂを受け入れるサイズ及び間隔の１対の凹部であればよい。これにより、ハウジング５２、従ってハンドル２０に対する取り外し可能部分２４４の向きを制御できるので有利である。
【０１１３】
１対の指グリップ３０２を用い、指グリップ３０２と弾性クリップ３０８とを対にして取り外し可能部分２４４の周囲の半径方向の同じ位置に配置することが好ましい。このことは、弾性クリップ３０８に加わるあらゆる力が、取り外し可能部分２４４を横切って関連する弾性クリップ３０８に直接伝わることを意味する。
【０１１４】
図１３ｂ、図１４ａ及び図１４ｃに示すように、ハンドル２０の内部からフィルタブロック４８を容易に取り出すために、フィルタ骨格４８０を設けることができる。フィルタ骨格４８０は、フィルタブロック４８の中心開口部４８ａによって定められるフィルタブロック４８の内面４８ｂにおいてフィルタブロック４８の長さに沿って延びる複数のリブ４８２を有する（図３ｂ、図１０及び図１４ｂ）。リブ４８２は、フィルタブロック４８の材料内に半径方向外向きに延びる保持機構４８４を含む。この例では、保持機構４８４が矢印形状であるが、他の形状を用いることもできる。フィルタ骨格の下流端４８０ａには、１対の下向きに延びるラグ４８６が設けられる。フィルタ４８及びフィルタ骨格４８０をハンドル２０内に配置した時には、これらの下向きに延びるラグ４８６を把持し、ハンドルの端部２００ａから下向きに引っ張ってフィルタブロック４８をハンドル２０から引っ張り出せるように外部からアクセスすることができる（図１３ｂ）。
【０１１５】
ハンドル２０の外壁２００は、圧延金属板で作製されると説明したが、別の製造方法及び材料を使用することもでき、これらは、以下に限定されるわけではないが、押し出し管及びプラスチック押し出し／成形管、又は炭素繊維強化プラスチックなどの複合管を含む。
【０１１６】
ヘアドライヤに関して本発明を詳細に説明したが、本発明は、流体を吸い込んでこの流体を機器から流出させるように導くあらゆる機器に適用可能である。
【０１１７】
この機器は、ヒータの有無に関わらず使用することができ、流体の高速流出作用は乾燥効果を有する。
【０１１８】
一般に、機器内を流れる流体は空気であるが、異なる気体又は一種類の気体の組み合わせであってもよく、機器の性能、或いは出力が向けられる毛髪などの物体及びそのスタイリングに機器が与える影響を改善する添加物を含むこともできる。
【０１１９】
本発明は、上述した詳細な説明に限定されるものではない。当業者には、変形例が明らかであろう。
【符号の説明】
【０１２０】
２０  ハンドル
４０  一次流体入口
４８  発泡体ブロック
４８ｂ  発泡体ブロックの内面
５０  ケーブル
２００  外壁
２００ａ  外壁の端部
２４４  取り外し可能部分
３００  外側リム
３０２  指グリップ
３０６  中心開口部
４８０  フィルタ骨格
【図１】
2016531626.tif 000003
【図２】
2016531626.tif 000004
【図３ａ】
2016531626.tif 000005
【図３ｂ】
2016531626.tif 000006
【図３ｃ】
2016531626.tif 000007
【図４】
2016531626.tif 000008
【図５】
2016531626.tif 000009
【図６】
2016531626.tif 000010
【図７】
2016531626.tif 000011
【図８】
2016531626.tif 000012
【図９】
2016531626.tif 000013
【図１０】
2016531626.tif 000014
【図１１】
2016531626.tif 000015
【図１２】
2016531626.tif 000016
【図１３ａ】
2016531626.tif 000017
【図１３ｂ】
2016531626.tif 000018
【図１４ａ】
2016531626.tif 000019
【図１４ｂ】
2016531626.tif 000020
【図１４ｃ】
2016531626.tif 000021
【図１５】
2016531626.tif 000022
【図１６ａ】
2016531626.tif 000023
【図１６ｂ】
2016531626.tif 000024
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
ヘアケア機器であって、
本体と、
前記本体に接続された第１の端部と、該第１の端部に対して遠位側の第２の端部とを有するハンドルと、
前記ハンドルの第２の端部において前記ハンドルを横切って広がる、前記ハンドルから取り外し可能な端壁と、
前記ハンドル内に設けられたフィルタと、
を備えることを特徴とするヘアケア機器。
【請求項２】
前記端壁は、複数の開口部を含む、
請求項１に記載の機器。
【請求項３】
前記複数の開口部は、前記機器内への流体入口を含む、
請求項２に記載の機器。
【請求項４】
前記端壁は、リムと、該リムの半径方向内向きに延びるリップ部とを含む、
請求項１から３のいずれか１項に記載の機器。
【請求項５】
前記フィルタは、取り外し可能なフィルタである、
請求項１から４のいずれか１項に記載の機器。
【請求項６】
前記フィルタは、前記端壁を前記ハンドルから取り外した時に取り外すことができる、
請求項１から５のいずれか１項に記載の機器。
【請求項７】
前記ハンドルは、外部からアクセス可能な外面と、前記ハンドルの内部領域を定める内面とを有する外壁を有する、
請求項１から６のいずれか１項に記載の機器。
【請求項８】
前記端壁は、前記外壁を半径方向に横切って延びる、
請求項７に記載の機器。
【請求項９】
前記端壁は、前記外壁の外径と一致する、
請求項８に記載の機器。
【請求項１０】
前記端壁は、前記端壁の内側リムによって定められたさらなる開口部を含む、
請求項１から９のいずれか１項に記載の機器。
【請求項１１】
前記さらなる開口部は、前記端壁の中心に配置される、
請求項１０に記載の機器。
【請求項１２】
前記端壁は、複数の開口部を含み、該複数の開口部は、前記さらなる開口部から離間する、
請求項１０又は１１に記載の機器。
【請求項１３】
前記機器に電源からの電力を供給するための電力ケーブルを備え、該電力ケーブルは、前記さらなる開口部を通って延びる、
請求項１０から１２のいずれか１項に記載の機器。
【請求項１４】
前記端壁は、該端壁を前記ハンドルから取り外した時に前記電力ケーブル上に保持される、
請求項１３に記載の機器。
【請求項１５】
ヘアケア機器であって、
本体と、
前記本体に接続された第１の端部と、該第１の端部に対して遠位側の第２の端部とを有するハンドルと、
前記ハンドルの前記第２の端部において前記ハンドルを横切って広がる、前記ハンドルから取り外し可能な端壁と、
前記機器に電源からの電力を供給する電力ケーブルと、
を備え、前記電力ケーブルは、前記端壁を貫いて延び、前記端壁は、該端壁を前記ハンドルから取り外した時に前記電力ケーブル上に保持される、
ことを特徴とするヘアケア機器。
【請求項１６】
前記機器内に流体を引き込むためのファンユニットを備える、
請求項１から１５のいずれか１項に記載の機器。
【請求項１７】
前記ファンユニットは、前記端壁を通じて流体を引き込む、
請求項１６に記載の機器。
【請求項１８】
前記ファンユニットは、前記ハンドル内に存在する、
請求項１６又は１７に記載の機器。
【請求項１９】
前記ハンドルの前記第２の端部は、前記ハンドルの周囲で少なくとも部分的に半径方向に広がるとともに前記第２の端部から前記ハンドルに沿って延びる複数の開口部を含む、
請求項１から１８のいずれか１項に記載の機器。
【請求項２０】
ヘアケア機器であって、
本体と、
前記本体に接続された第１の端部と、該第１の端部に対して遠位側の第２の端部とを有するハンドルと、
前記ハンドルの前記第２の端部において前記ハンドルを横切って広がる端壁と、
を備え、前記端壁は、前記ハンドルから取り外し可能であり、前記ハンドルの前記第２の端部は、前記ハンドルの周囲で少なくとも部分的に半径方向に広がるとともに前記第２の端部から前記ハンドルに沿って延びる複数の開口部を含む、
ことを特徴とするヘアケア機器。
【請求項２１】
手持型機器であって、
本体と、
前記本体に接続された第１の端部と、該第１の端部に対して遠位側の第２の端部とを有するハンドルと、
前記ハンドルの前記第２の端部において前記ハンドルを横切って広がる、前記ハンドルから取り外し可能な端壁と、
前記ハンドル内に設けられたフィルタと、
を備えることを特徴とする手持型機器。
【請求項２２】
前記端壁は、複数の開口部を含む、
請求項２１に記載の機器。
【請求項２３】
前記複数の開口部は、前記機器内への流体入口を含む、
請求項２２に記載の機器。
【請求項２４】
前記端壁は、プラスチック材料で作製される、
請求項２１から２３のいずれか１項に記載の機器。
【請求項２５】
前記端壁は、リムと、該リムの半径方向内向きに延びるリップ部とを含む、
請求項２１から２４のいずれか１項に記載の機器。
【請求項２６】
前記フィルタは、取り外し可能なフィルタである、
請求項２１から２５のいずれか１項に記載の機器。
【請求項２７】
前記フィルタは、前記端壁を前記ハンドルから取り外した時に取り外すことができる、
請求項２６に記載の機器。
【請求項２８】
前記ハンドルは、外部からアクセス可能な外面と、前記ハンドルの内部領域を定める内面とを有する外壁を有する、
請求項２１から２７のいずれか１項に記載の機器。
【請求項２９】
前記端壁は、前記外壁を半径方向に横切って延びる、
請求項２８に記載の機器。
【請求項３０】
前記端壁は、前記外壁の外径と一致する、
請求項２９に記載の機器。
【請求項３１】
前記端壁は、前記端壁の内側リムによって定められたさらなる開口部を含む、
請求項２１から３０のいずれか１項に記載の機器。
【請求項３２】
前記さらなる開口部は、前記端壁の中心に配置される、
請求項３１に記載の機器。
【請求項３３】
前記端壁は、複数の開口部を含み、該複数の開口部は、前記さらなる開口部から離間する、
請求項３１又は３２に記載の機器。
【請求項３４】
前記機器に電源からの電力を供給するための電力ケーブルを備え、該電力ケーブルは、前記さらなる開口部を通って延びる、
請求項３１から３３のいずれか１項に記載の機器。
【請求項３５】
前記端壁は、該端壁を前記ハンドルから取り外した時に前記電力ケーブル上に保持される、
請求項３４に記載の機器。
【請求項３６】
手持型機器であって、
本体と、
前記本体に接続された第１の端部と、該第１の端部に対して遠位側の第２の端部とを有するハンドルと、
前記ハンドルの前記第２の端部において前記ハンドルを横切って広がる、前記ハンドルから取り外し可能な端壁と、
を備え、前記端壁は、該端壁を前記ハンドルから取り外した時に電力ケーブル上に保持される、
ことを特徴とする手持型機器。
【請求項３７】
前記機器内に流体を引き込むためのファンユニットを備える、
請求項２１から３６のいずれか１項に記載の機器。
【請求項３８】
前記ファンユニットは、前記端壁を通じて流体を引き込む、
請求項３７に記載の機器。
【請求項３９】
前記ファンユニットは、前記ハンドル内に存在する、
請求項３７又は３８に記載の機器。
【請求項４０】
前記ハンドルの前記第２の端部は、前記ハンドルの周囲で少なくとも部分的に半径方向に広がるとともに前記第２の端部から前記ハンドルに沿って延びる複数の開口部を含む、
請求項２１から３９のいずれか１項に記載の機器。
【請求項４１】
手持型機器であって、
本体と、
前記本体に接続された第１の端部と、該第１の端部に対して遠位側の第２の端部とを有するハンドルと、
前記ハンドルの前記第２の端部において前記ハンドルを横切って広がる端壁と、
を備え、前記端壁は前記ハンドルから取り外し可能であり、前記ハンドルの前記第２の端部は、前記ハンドルの周囲で少なくとも部分的に半径方向に広がるとともに前記第２の端部から前記ハンドルに沿って延びる複数の開口部を含む、
ことを特徴とする手持型機器。
【請求項４２】
前記機器は、ヘアドライヤである、
請求項１１から２０のいずれか１項に記載の機器。
【国際調査報告】
2016531626.tif 000025
2016531626.tif 000026
2016531626.tif 000027
2016531626.tif 000028